(57)【要約】【課題】便器洗浄タンクに荷重が作用しても、便器洗浄タンク内のタンク本体に荷重が直接作用することを回避できる便器装置を提供すること。【解決手段】便器本体２１と、洗浄水を貯留するタンク本体４１及びタンク本体４１の下部に配置されるベースプレート４３を有する便器洗浄タンク４と、便器洗浄タンク４の前方を覆う前カバー５１と、を備え、便器洗浄タンク４が、ベースプレート４３を介して便器本体２１に取り付けられる便器装置１であって、タンク本体４１と前カバー５１との間に、タンク本体４１の幅方向に亘って延びる補強ステー６１が設けられ、補強ステー６１は、ベースプレート４３に対して、直接的に又は間接的に連結される。【選択図】図３
2019190243.tif 000002
【特許請求の範囲】
【請求項１】
便器本体と、洗浄水を貯留するタンク本体及び前記タンク本体の下部に配置されるベースプレートを有する便器洗浄タンクと、前記便器洗浄タンクの前方を覆う前カバーと、を備え、前記便器洗浄タンクが、前記ベースプレートを介して前記便器本体に取り付けられる便器装置であって、
前記タンク本体と前記前カバーとの間に、前記タンク本体の幅方向に亘って延びる補強ステーが設けられ、
前記補強ステーは、前記ベースプレートに対して、直接的に又は間接的に連結される、便器装置。
【請求項２】
前記ベースプレートの幅方向の両端面に、前記ベースプレートから前記便器洗浄タンクに沿って立ち上がる側面支持部材がそれぞれ設けられ、
前記補強ステーの両端部は、前記側面支持部材にそれぞれ連結される、請求項１に記載の便器装置。
【請求項３】
前記側面支持部材は、前記ベースプレートの前記両端面にそれぞれ設けられた凸部又は凹部に係合して取り付けられる、請求項２に記載の便器装置。
【請求項４】
前記側面支持部材は、前記便器洗浄タンクの前面側に配置される前面板部を有すると共に、前記前面板部にボス部を有し、
前記補強ステーは、両端部に凹溝部を有し、前記凹溝部を前記ボス部に係合させた状態で前記前面部にねじ止めされている、請求項２又は３に記載の便器装置。
【請求項５】
前記補強ステーは、前方に向けて幅方向に湾曲している、請求項１〜４のいずれか１項に記載の便器装置。
【請求項６】
前記前カバーは、前方に向けて幅方向に湾曲し、
前記補強ステーの曲率は、前記前カバーの曲率よりも大きい、請求項５に記載の便器装置。
【発明の詳細な説明】
【技術分野】
【０００１】
本発明は、便器装置に関し、詳しくは、洗浄水量を確保しながらも、タンク本体の奥行方向の寸法を小さくした薄型の便器洗浄タンクを備えた便器装置に関する。
【背景技術】
【０００２】
従来、洗浄水を貯留するタンク本体と、タンク本体の下部に配置される固定プレートと、タンク本体及び固定プレートを覆うタンクカバーと、を有する便器装置が知られている（例えば、特許文献１参照）
【先行技術文献】
【特許文献】
【０００３】
【特許文献１】特開２０１０−７４５１号公報
【発明の概要】
【発明が解決しようとする課題】
【０００４】
近年、便器装置において、便器の前出寸法の縮小化が求められている。このような便器装置を、便器に便器洗浄タンクが固定される便器装置により構成する場合、便器の前出寸法を縮小するためには、便器洗浄タンクを薄型化することが必要である。
【０００５】
しかし、便器洗浄タンクを薄型化すると、タンク容積を確保するために、便器洗浄タンクの外装体であるタンクカバーと、そのタンクカバーの内側に配置される便器洗浄タンクとの隙間が小さくなる。このため、例えば使用者がタンクカバーに凭れ掛かる等することによってタンクカバーに荷重が掛かると、その荷重が便器洗浄タンクに作用するおそれがある。便器洗浄タンクを薄型化すると、底面積が小さくなることにより、便器洗浄タンク自身で荷重を受け止めきれず、便器洗浄タンク内に配置されるタンク本体に荷重が作用することにより、タンク本体と便器とを接続する配管接続部等に応力が掛かり、破損や漏水につながる懸念がある。従って、便器洗浄タンクに荷重が作用しても、その荷重が便器洗浄タンク内のタンク本体に直接作用することを回避できるようにすることが求められる。
【０００６】
特許文献１に記載の技術は、固定プレートに弾性変形する可撓性部を設け、便器洗浄タンクに荷重が掛かった際に可撓性部を弾性変形させることにより、固定プレートの変形を回避するようにしている。しかし、この技術では、固定プレートの変形が回避されるだけであり、便器洗浄タンクに作用する荷重からタンク本体を保護するものではない。
【０００７】
本発明は、便器洗浄タンクに荷重が作用しても、便器洗浄タンク内のタンク本体に荷重が直接作用することを回避できる便器装置を提供することを目的とする。
【課題を解決するための手段】
【０００８】
（１）  本発明に係る便器装置は、便器本体（例えば、後述の便器本体２１）と、洗浄水を貯留するタンク本体（例えば、後述のタンク本体４１）及び前記タンク本体の下部に配置されるベースプレート（例えば、後述のベースプレート４３）を有する便器洗浄タンク（例えば、後述の便器洗浄タンク４）と、前記便器洗浄タンクの前方を覆う前カバー（例えば、後述の前カバー５１）と、を備え、前記便器洗浄タンクが、前記ベースプレートを介して前記便器本体に取り付けられる便器装置（例えば、後述の便器装置１）であって、前記タンク本体と前記前カバーとの間に、前記タンク本体の幅方向に亘って延びる補強ステー（例えば、後述の補強ステー６１）が設けられ、前記補強ステーは、前記ベースプレートに対して、直接的に又は間接的に連結される。
【０００９】
（２）  （１）に記載の便器装置において、前記ベースプレートの幅方向の両端面（例えば、後述の端面４３ａ）に、前記ベースプレートから前記便器洗浄タンクに沿って立ち上がる側面支持部材（例えば、後述の側面フレーム部材６２）がそれぞれ設けられ、前記補強ステーの両端部は、前記側面支持部材にそれぞれ連結されることが好ましい。
【００１０】
（３）  （２）に記載の便器装置において、前記側面フレーム部材は、前記ベースプレートの前記両端面にそれぞれ設けられた凸部（例えば、後述の凸部４３ｃ）又は凹部に係合して取り付けられることが好ましい。
【００１１】
（４）  （２）又は（３）に記載の便器装置において、前記側面フレーム部材は、前記便器洗浄タンクの前面側に配置される前面板部（例えば、後述の前面板部６２１ａ）を有すると共に、前記前面板部にボス部（例えば、後述のボス部６２４）を有し、前記補強ステーは、両端部に凹溝部（例えば、後述の凹溝部６１１）を有し、前記凹溝部を前記ボス部に係合させた状態で前記前面板部にねじ止めされていることが好ましい。
【００１２】
（５）  （１）〜（４）のいずれかに記載の便器装置において、前記補強ステーは、前方に向けて幅方向に湾曲していることが好ましい。
【００１３】
（６）  （５）に記載の便器装置において、前記前カバーは、前方に向けて幅方向に湾曲し、前記補強ステーの曲率は、前記前カバーの曲率よりも大きいことが好ましい。
【発明の効果】
【００１４】
本発明によれば、便器洗浄タンクに荷重が作用しても、便器洗浄タンク内のタンク本体に荷重が直接作用することを回避できる便器装置を提供することができる。
【図面の簡単な説明】
【００１５】
【図１】本発明に係る便器洗浄タンクを備える便器装置の斜視図である。
【図２】本発明に係る便器洗浄タンクの内部を示す平面図である。
【図３】本発明に係る便器洗浄タンクの一部を分解して示す斜視図である。
【図４】本発明に係る便器洗浄タンクの排水口の構造を説明する断面図である。
【図５】本発明に係る便器洗浄タンクのフレーム部材を示す側面図である。
【図６】フレーム部材とベースプレートとの取付け構造を説明する図である。
【図７】補強ステーとフレーム部材との取付け構造を説明する拡大図である。
【図８】補強ステーと前カバーとの曲率の関係を示す平面図である。
【図９】本発明に係る便器洗浄タンクの後面側の要部拡大図である。
【発明を実施するための形態】
【００１６】
以下、本発明の実施形態について図面を参照して詳細に説明する。
本実施形態に示す便器装置１は、図１に示すように、便器２が床面ｆ１に設置される床置きタイプの便器装置を示している。便器装置１は、便器２と、この便器２の後方に配置される便器洗浄装置３と、を備えている。なお、以下の説明において、便器２に着座した使用者から見た場合の前後の向きを前後方向とする。また、便器２に着座した使用者から見た場合の左右の向きを幅方向とする。更に、床面ｆ１に対する鉛直方向に沿う上下の向きを上下方向とする。
【００１７】
便器２は、立壁面ｆ２に近接した床面ｆ１上に設置されている。便器２は、便器本体２１の上部に回動可能に取り付けられた便座２２及び便蓋２３と、これら便座２２及び便蓋２３の後方に配置される便座装置の機能部２４と、を有している。便器本体２１の後部の両側面には、それぞれサイドカバー２１１が面ファスナー等によって着脱可能に取り付けられ、便器本体２１の後部を遮蔽している。
【００１８】
便器洗浄装置３は、便器本体２１の後方に配置されている。便器洗浄装置３は、便器洗浄タンク４と、便器洗浄タンク４の外装体であるタンクカバー５と、を含んで構成される。
【００１９】
本実施形態に示すタンクカバー５は、便器洗浄タンク４の前方を覆う前カバー５１と、便器洗浄タンク４の側方及び後方を覆う後カバー５２と、便器洗浄タンク４の上方を覆う上カバー５３と、を有する。前カバー５１と上カバー５３は、後カバー５２に対して着脱可能に取り付けられる。これにより、便器洗浄タンク４の全体がタンクカバー５によって遮蔽され、見栄えが良好となり、意匠性が向上する。
【００２０】
なお、便器洗浄タンク４の下方の便器２の後方側は、左右一対の下カバー５４によって覆われている。これにより、便器２の後方側に配置される配管部品（図示せず）等が目隠しされると共に、便器２の後方側が便器洗浄装置３から下方向に延びる薄型の箱体形状となり、意匠的な統一感が生み出されて意匠性が更に向上する。
【００２１】
便器洗浄タンク４は、タンクカバー５の内側に、図３に示すように、タンク本体４１と、内蓋４２と、ベースプレート４３と、防露材４４と、補強フレーム６と、備えている。なお、図３では、便器２のうちの便器本体２１のみ破線で示し、便座２２、便蓋２３、機能部２４の図示を省略している。
【００２２】
タンク本体４１は、ブロー成形品からなる。ブロー成形されたタンク本体４１の上面開口部４１１（図２参照）は、ブロー成形品の上部を略水平方向に切断することによって形成される。このため、ブロー成形品は、前後方向に離型することによって成形でき、射出成形品のような離型のための抜き勾配を上下方向に設ける必要がない。その結果、タンク本体４１の外周面は、上下方向に沿って真っ直ぐな面となり、床面ｆ１に対して垂直に延びた側壁面を構成することができる。このため、タンク本体４１は、抜き勾配に起因するタンク容積の減少が少なく、奥行き寸法を小さくして薄型化しても、射出成形品に比べてタンク容積を大きく確保することが可能である。タンク本体４１が薄型化されることにより、このタンク本体４１を有する便器洗浄タンク４を備えた便器装置１は、前後方向の寸法（前出寸法）を縮小化することが可能である。
【００２３】
タンク本体４１の内部には洗浄水が貯留されると共に、図２に示すように、便器洗浄用の内部部品が収容されている。具体的には、タンク本体４１内には、給水を行うボールタップ４ａ、ボールタップ４ａの止水を行うためのフロート４ｂ、洗浄水の水位を制限すると共に便器本体２１に補給水を供給するためのオーバーフロー管４ｃ、排水口を開閉するフラッパー弁４ｄ、フラッパー弁４ｄを引き上げる玉鎖４ｅ、玉鎖４ｅを引き上げ操作するための引上げアーム４ｆ等が収容されている。引上げアーム４ｆには、タンクカバー５の外側に取り付けられるレバーハンドル４ｇのスピンドル４ｈが連結されている。
【００２４】
内蓋４２は、タンク本体４１の上面開口部４１１（図２参照）を被蓋するようにタンク本体４１に対してねじ止めされている。具体的には、内蓋４２は、内蓋本体４２１と、点検蓋４２２とで構成される。内蓋本体４２１は、上面開口部４１１の周縁に沿って装着され、タンク本体４１に対してねじ止めされる。一方、点検蓋４２２は、タンク本体４１に対してねじ止めされておらず、内蓋本体４２１に対して着脱可能に取り付けられている。このため、内蓋４２は、内蓋本体４２１から点検蓋４２２を取り外すことにより、ねじ止めされている内蓋本体４２１を取り外すことなく、タンク本体４１の内部に対してアクセス可能である。
【００２５】
ベースプレート４３は、タンク本体４１の下部に取り付けられている。ベースプレート４３は、タンク本体４１よりも硬質な樹脂によって形成され、タンク本体４１の底面形状に略等しい平面形状を有している。ベースプレート４３は、タンク本体４１の下面を支持すると共に、ベースプレート４３の底部から突出する一対の緊締ボルト４３１（図３参照）によって、便器本体２１の後部の上面２１ａに固定されることにより、タンク本体４１を便器本体２１に固定する機能を有する。
【００２６】
タンク本体４１とベースプレート４３との取付け構造を図４に示す。タンク本体４１の底面４１２に、円形の下面開口部４１３が形成されている。この下面開口部４１３には、略円筒状の弁座シート４６が装着されている。弁座シート４６は、タンク本体４１の内部部品の一つであるフラッパー弁４ｄ（図４において図示せず）の弁座を構成する部品であり、下面開口部４１３よりも大径なフランジ部４６１を有している。弁座シート４６は、フランジ部４６１とタンク本体４１との間にパッキン４６ａを挟むようにして、タンク本体４１の内側から装着されている。
【００２７】
弁座シート４６は、フランジ部４６１よりも下方側に、外周面に雄ねじを有する円筒部４６２を一体に有し、この円筒部４６２が下面開口部４１３から下方に突出している。弁座シート４６は、下面開口部４１３から突出する円筒部４６２に、タンク本体４１の外側から締付けナット４６ｂが螺合することにより、タンク本体４１に取り付けられている。
【００２８】
一方、ベースプレート４３の中央部には、円形の開口部４３２が設けられ、この開口部４３２に、タンク本体４１の下面から突出する弁座シート４６の円筒部４６２が貫挿されている。そして、この開口部４３２から下方に突出する円筒部４６２に締付けナット４６ｃが螺合することにより、ベースプレート４３が締付けナット４６ｃとタンク本体４１との間で挟着されている。これにより、タンク本体４１の下部にベースプレート４３が固定される。
【００２９】
タンク本体４１に固定されたベースプレート４３は、下面に突設される一対の緊締ボルト４３１を、便器本体２１の上面２１ａに設けられるタンク取付け穴（図示せず）に挿入させて固定される。これにより、タンク本体４１がベースプレート４３を介して便器本体２１に固定される。便器本体２１に固定されたタンク本体４１の円筒部４６２は、便器本体２１の洗浄水流入口（図示せず）と連通し、タンク本体４１内の洗浄水を便器本体２１に供給可能とされる。
【００３０】
防露材４４は、発泡スチロール樹脂等により、タンク本体４１の外周面に沿った形状に成形されている。本実施形態に示す防露材４４は、前側防露材４４１と後側防露材４４２とに２分割され、タンク本体４１を前後方向から挟むように装着されている。このように、防露材４４は前後方向に２分割されるため、防露材４４を成形する際の抜き勾配も前後方向に設けられる。従って、防露材４４は、タンク本体４１と同様に、上下方向に真っ直ぐな側壁面を構成することができる。その結果、便器洗浄タンク４を薄型化しても、従来のような防露材の抜き勾配に起因する便器洗浄タンク４のタンク容積の減少を招くおそれはない。しかも、本実施形態に示すタンク本体４１にも上下方向の抜き勾配が設けられていないことと相俟って、便器洗浄タンク４の更なる薄型化を図り、便器装置１の前後方向の寸法（前出寸法）を更に縮小化することが可能である。
【００３１】
本実施形態に示す補強フレーム６は、図３に示すように、便器洗浄タンク４の前面側に配置される金属製の帯板からなる補強ステー６１と、便器洗浄タンク４の両側面にそれぞれ配置される金属製の側面フレーム部材６２と、を含む。
【００３２】
補強ステー６１は、図３には示されていないタンクカバー５の前カバー５１とタンク本体４１との間、具体的には、前カバー５１とタンク本体４１を覆う防露材４４との間に配置され、タンク本体４１の幅方向に亘って延びている。前側防露材４４１は幅方向に亘る凹部４４ａを有し、この凹部４４ａ内に補強ステー６１が収容されている。このため、補強ステー６１は、便器洗浄タンク４の前方に過大に突出することがなく、タンク本体４１のタンク容積の減少を招くことなく便器洗浄タンク４の薄型化が可能である。
【００３３】
補強ステー６１の両端部は、それぞれ側面フレーム部材６２に連結されている。側面フレーム部材６２は、本発明の側面支持部材に対応する。側面フレーム部材６２は、便器洗浄タンク４（タンク本体４１を覆う防露材４４）の側面に沿って配置されて上下方向に延びるフレーム本体６２１と、固定板部６２２と、を有する。
【００３４】
フレーム本体６２１は、平面視コ字型に形成されており、タンク本体４１の前面側に回り込むように屈曲形成された前面板部６２１ａと、タンク本体４１の後面側に回り込むように屈曲形成された後面板部６２１ｂとを有する。前面板部６２１ａ及び後面板部６２１ｂには、それぞれ上下方向に並んで一対ずつのねじ穴６２３ａ、６２３ｂが設けられている。また、前面板部６２１ａ及び後面板部６２１ｂには、一対ずつのねじ穴６２３ａ、６２３ｂのうちの上側のねじ穴６２３ａ、６２３ｂの外側に、円柱状のボス部６２４がそれぞれ突設されている。
【００３５】
固定板部６２２は、フレーム本体６２１の下端に一体に設けられている。固定板部６２２は矩形状を呈し、前後方向の中央部（固定板部６２２の幅方向の中央部）に、１つのねじ穴６２２ａが設けられている。これにより、側面フレーム部材６２は、図５に示すように、前後方向（側面フレーム部材６２の幅方向）に対称形状となり、便器洗浄タンク４の左右いずれの側面にも取り付けることができるようになっている。
【００３６】
側面フレーム部材６２は、固定板部６２２がベースプレート４３の幅方向の両端面４３ａにそれぞれ当接され、ねじ穴６２２ａに挿通される固定ねじ６２ａによってベースプレート４３に固定されている。これにより、側面フレーム部材６２は、ベースプレート４３からタンク本体４１に沿って立ち上がるように設けられると共に、側面フレーム部材６２の前面板部６２１ａと後面板部６２１ｂとによって、２分割されている防露材４４を前後方向から挟持している。
【００３７】
なお、本実施形態に示す前側防露材４４１には、この側面フレーム部材６２の前面板部６２１ａを収容する凹部４４ｂを有している。このため、側面フレーム部材６２は、便器洗浄タンク４の前方に過大に突出することがなく、補強フレーム６を設けてもタンク本体４１のタンク容積の減少を招くことなく、便器洗浄タンク４を薄型化することができる。
【００３８】
補強ステー６１は、各側面フレーム部材６２の前面板部６２１ａの上側のねじ穴６２３ａを利用して、固定ねじ６１ａによって固定されている。これにより、各側面フレーム部材６２は、補強ステー６１によって一体に連結される。
【００３９】
このように構成される補強フレーム６は、使用者がタンクカバー５の前カバー５１に凭れ掛かる等することにより、前カバー５１が後方に向けて撓んだ際に、最初に補強ステー６１が前カバー３１と接触してその荷重を受け、タンク本体４１に荷重を直接作用させないように機能する。補強ステー６１に作用する荷重は、補強ステー６１の両端部から各側面フレーム部材６２に伝達される。側面フレーム部材６２はタンク本体４１よりも堅牢なベースプレート４３に固定され、そのベースプレート４３は便器本体２１に固定されているため、補強ステー６１から伝達される荷重をタンク本体４１に直接作用させることなく受け止め、便器本体２１に逃がすことができる。また、前カバー５１が補強ステー６１に接触することにより、前カバー５１自体の撓みも抑制され、前カバー５１の損傷も回避できる。
【００４０】
ベースプレート４３の端面４３ａは、側面フレーム部材６２の固定板部６２２の幅に相当する幅で僅かに凹んでいる。これにより、図５及び図６に示すように、ベースプレート４３の端面４３ａの前端側及び後端側に、上下方向に沿って固定板部６２２を前後から挟むように配置される一対の壁部４３ｂがそれぞれ形成されている。また、これら一対の壁部４３ｂの内側には、壁部４３ｂと一体の矩形状の凸部４３ｃがそれぞれ突設されている。凸部４３ｃは、固定ねじ６２ａ（ねじ穴６２２ａ）を間に挟んで前後方向の対称位置に配置されている。これら壁部４３ｂ及び凸部４３ｃは、ベースプレート４３の反対側の端面４３ａにも同様に設けられている。
【００４１】
一方、側面フレーム部材６２の固定板部６２２には、ベースプレート４３の２つの凸部４３ｃに対応する位置に、固定板部６２２の両側縁からそれぞれ内側に向けて矩形状に凹んだ凹部６２２ｂが形成されている。これにより、固定板部６２２は、凸部４３ｃと凹部６２２ｂとによって凹凸係合した状態で、固定ねじ６２ａによってベースプレート４３の端面４３ａに固定されている。
【００４２】
ここで、使用者が前カバー５１に凭れ掛かることにより、前カバー５１が後方に向けて撓み、補強ステー６１に荷重が掛かると、図６に示すように、荷重Ｆ１が側面フレーム部材６２に作用する。このとき、側面フレーム部材６２には、固定ねじ６２ａを中心として、図６における時計方向へ回転しようとする力が働き、その結果、凸部４３ｃと凹部６２２ｂが、図６中の白抜き矢印で示す方向から当接する。即ち、固定板部６２２の前方側（図６における左側）では、凸部４３ｃの下側から凹部６２２ｂが当接し、これと同時に、固定板部６２２の後方側（図６における右側）では、凸部４３ｃの上側から凹部６２２ｂが当接する。
【００４３】
このとき、凸部４３ｃと凹部６２２ｂとは面接触するため、側面フレーム部材６２は、補強ステー６１から伝達される荷重を面で受けることができる。その結果、側面フレーム部材６２は、補強ステー６１が荷重を受けた際に、補強ステー６１から伝達される荷重を確実に受け止めることができ、側面フレーム部材６２が後方に過剰に傾倒することを効果的に抑制できる。
【００４４】
しかも、側面フレーム部材６２に掛かる荷重は、凸部４３ｃと凹部６２２ｂとの当接部位に実質的に作用し、固定ねじ６２ａの部位にはほとんど作用しないため、固定ねじ６２ａに掛かる負荷を低減でき、固定ねじ６２ａの弛み等の発生を抑制することもできる。
【００４５】
なお、便器洗浄タンク４に対して前方に引き倒すような力が作用した場合には、上記とは逆に、側面フレーム部材６２には、荷重Ｆ２が作用する。このとき、側面フレーム部材６２には、固定ねじ６２ａを中心として、図６における反時計方向へ回転しようとする力が働き、その結果、凸部４３ｃと凹部６２２ｂとが、図６中の黒塗り矢印で示す方向から当接する。即ち、固定板部６２２の前方側（図６における左側）では、凸部４３ｃの上側から凹部６２２ｂが当接し、これと同時に、固定板部６２２の後方側（図６における右側）では、凸部４３ｃの下側から凹部６２２ｂが当接する。これにより、側面フレーム部材６２は、補強ステー６１から伝達される荷重を、上記と同様に凸部４３ｃと凹部６２２ｂとの係合による面で受けることができ、側面フレーム部材６２が前方に過剰に傾倒することを効果的に抑制できる。このため、タンク本体４１が前方に過剰に傾倒することが抑制される。
【００４６】
補強ステー６１の両端部には、図７に示すように、側面フレーム部材６２に設けられたボス部６２４に係合可能な凹溝部６１１をそれぞれ有する。ボス部６２４と凹溝部６１１とは、互いに係合した際に、補強ステー６１のねじ穴（図示せず）と前面板部６２１ａの上側のねじ穴６２３ａとが一致する位置関係となるように配置されている。これにより、側面フレーム部材６２の前面板部６２１ａに補強ステー６１を取り付ける際、ボス部６２４に対して凹溝部６１１を係合させることにより、補強ステー６１の位置決めを行うことができる。この位置決めにより、補強ステー６１のねじ穴（図示せず）と前面板部６２１ａの上側のねじ穴６２３ａとが一致するため、固定ねじ６１ａの挿入作業を楽に行うことができ、補強ステー６１の取り付け作業性が向上する。しかも、ボス部６２４が、補強ステー６１から側面フレーム部材６２に伝達される荷重を受け止めることができるため、その荷重が固定ねじ６１ａに直接作用することによる固定ねじ６１ａの弛み等を回避することができる。
【００４７】
補強ステー６１は、図３及び図５に示すように、前方に向けて便器洗浄タンク４の幅方向に湾曲している。即ち、補強ステー６１は、幅方向の中央部が最も前方に突出するように湾曲している。これにより、補強ステー６１に前方側から荷重が作用した際、補強ステー６１は、幅方向に延びるように弾性変形するため、その荷重を側面フレーム部材６２に確実に逃がすことができる。
【００４８】
また、図２に示すように、前カバー５１も、幅方向の中央部が最も前方に突出するように前方に向けて幅方向に湾曲している。この場合、補強ステー６１の曲率の方が、前カバー５１の曲率よりも大きいことが好ましい。これにより、図８に示すように、前カバー５１と補強ステー６１との離間距離は、中央部で最も小さく、両端部に行くほど大きくなる。従って、前カバー５１が荷重を受けて後方（図８における右方向）に向けて撓んだ際、前カバー５１は、最初に幅方向の中央部において補強ステー６１と接触するようになる。これにより、荷重を補強ステー６１の両端部に向けて略均等に分散させ、その荷重を各側面フレーム部材６２に略均等に逃がすことができるため、便器洗浄タンク４をより安定して保持することができる。
【００４９】
図２、図３、図５及び図７に示すように、各側面フレーム部材６２の後面板部６２１ｂには、後方に向けて突出するアジャスタ７が設けられている。アジャスタ７は、後面板部６２１ｂの下側のねじ穴６２３ｂに対して、突出量を調整可能に螺合している。アジャスタ７は、図９に示すように、後カバー５２に形成された開口部５２１から側面フレーム部材６２に取り付けられることにより、後カバー５２から後方に突出して設けられる。アジャスタ７は、図２に示すように、立壁面ｆ２と当接して立壁面ｆ２と便器洗浄タンク４との距離を一定に保ち、便器洗浄タンク４が後方側に過度に傾倒することを防止する。
【００５０】
なお、図９における符号５２ａは、後カバー５２を側面フレーム部材６２の後面板部６２１ｂの上側のねじ穴６２３ｂに固定するための固定ねじである。固定ねじ５２ａは、アジャスタ７のための開口部５２１の上方に配置された取付け穴５２２に取り付けられている。これにより、後カバー５２が側面フレーム部材６２に取り付けられる。前カバー５１及び上カバー５３は、この後カバー５２に取り付けられるため、本実施形態に示すタンクカバー５は、側面フレーム部材６２及びベースプレート４３を介して、間接的に便器本体２１に固定される。
【００５１】
以上の実施形態では、側面フレーム部材６２とベースプレート４３との係合構造において、２つずつの凸部４３ｃと凹部６２２ｂとを設けるようにしたが、凸部４３ｃと凹部６２２ｂとは１つずつでもよい。また、ベースプレート４３に凹部を設け、固定板部６２２に凸部を設けてもよい。更に、側面フレーム部材６２とベースプレート４３との係合構造は、ボス部とボス穴とによる嵌合構造でもよい。
【００５２】
側面フレーム部材６２の固定板部６２２は、凸部４３ｃに係合する矩形状の凹部２２ｂを有するものに限らない。例えば、前カバー５１から作用する荷重のみに対応するため、図６に示す前側（左側）の凸部４３ｃの下側と後側（右側）の凸部４３ｃの上側とのみに当接するように、固定板部６２２の両側縁が上下方向に段状（鍵状）となるように形成されてもよい。
【００５３】
また、以上の実施形態では、補強ステー６１は、ベースプレート４３に対して、側面フレーム部材６２を介して間接的に連結されるようにしたが、例えば、補強ステーが側面フレーム部材６２に相当する部位を一体に有することにより、補強ステーがベースプレート４３に対して直接的に連結されるようにしてもよい。
【００５４】
更に、ベースプレート４３の両端面４３ａは平坦面に限らない。例えば、ベースプレート４３は平面視楕円形状であってもよい。この場合、側面フレーム部材６２は、ベースプレート４３の両端の曲面に対して取り付けられるようにしてもよい。
【符号の説明】
【００５５】
１  便器装置
２１  便器本体
４  便器洗浄タンク
４１  タンク本体
４３  ベースプレート
４３ａ  （ベースプレートの幅方向の）端面
４３ｃ  凸部
５１  前カバー
６１  補強ステー
６１１  凹溝部
６２  側面フレーム部材（側面支持部材）
６２１ａ  前面板部
６２４  ボス部
【図１】
2019190243.tif 000003
【図２】
2019190243.tif 000004
【図３】
2019190243.tif 000005
【図４】
2019190243.tif 000006
【図５】
2019190243.tif 000007
【図６】
2019190243.tif 000008
【図７】
2019190243.tif 000009
【図８】
2019190243.tif 000010
【図９】
2019190243.tif 000011